(57)【特許請求の範囲】
【請求項１】
対向して配置された一対の基板と、
マトリクス状に配置された複数のサブピクセルを含む表示部と、
反射層と、
前記反射層から離間し、赤色カラーフィルタ、緑色カラーフィルタ、青色カラーフィルタを備えたカラーフィルタ層と、を備え、
前記表示部は、複数の絵素を備え、
前記複数の絵素はそれぞれ、無色画素と、前記赤色カラーフィルタを備えた赤色画素と、前記緑色カラーフィルタを備えた緑色画素と、前記青色カラーフィルタを備えた青色画素とのサブピクセルを備え、
第１方向に沿って前記赤色画素、前記緑色画素、前記青色画素の単一色がそれぞれ配置され、
前記第１方向と略直交する第２方向に並ぶ前記絵素において、一の絵素が有する前記無色画素と、他の一の絵素が有する前記無色画素とは、前記赤色画素、前記緑色画素、前記青色画素の配列に対して互いに１８０°異なる位置に配置されている反射型液晶表示装置。
【請求項２】
対向して配置された一対の基板と、
マトリクス状に配置された複数のサブピクセルを含む表示部と、
反射層と、
前記反射層から離間し、赤色カラーフィルタ、緑色カラーフィルタ、青色カラーフィルタを備えたカラーフィルタ層と、を備え、
前記表示部は、複数の絵素を備え、
前記複数の絵素はそれぞれ、無色画素と、前記赤色カラーフィルタを備えた赤色画素と、前記緑色カラーフィルタを備えた緑色画素と、前記青色カラーフィルタを備えた青色画素とのサブピクセルを備え、
前記絵素において、前記赤色画素、前記緑色画素、前記青色画素は、第１方向に沿って配置され、前記無色画素は、前記赤色画素、前記緑色画素、前記青色画素の内中央に位置するサブピクセルに接して、前記第１方向と略直交する第２方向に沿って配置され、前記第２方向に沿って前記赤色画素、前記緑色画素、前記青色画素の単一色がそれぞれ配置されている反射型液晶表示装置。
【請求項３】
前記反射層は、前記一対の基板の一方の外側に設けられている、請求項１又は請求項２記載の反射型液晶表示装置。
【請求項４】
前記第１方向に沿って、前記緑色画素と前記無色画素とが交互に並んで配置されている、請求項１記載の反射型液晶表示装置。
【請求項５】
前記表示部は、２色性の黒色色素とカイラル材料とが添加された液晶材料からなる液晶層を有する、請求項３に記載の反射型液晶表示装置。
【請求項６】
前記第２方向に沿って、前記緑色画素と前記無色画素とが交互に並んで配置されている、請求項２記載の反射型液晶表示装置。
【発明の詳細な説明】
【技術分野】
【０００１】
本発明の実施形態は、液晶表示装置に関する。
【背景技術】
【０００２】
液晶表示装置等の平面表示装置は、軽量、薄型、低消費電力などの特徴を生かして、ＯＡ機器、情報端末、時計、テレビなどの各種分野で利用されている。
【０００３】
液晶表示装置の表示方式には液晶分子の配向による複数のモードがあり、ＴＮ（Twisted Nematic）モードや、ネマチック液晶を用いたＯＣＢ（Optically Compensated Bend）方式、ＶＡＮ（Vertically Aligned Nematic）方式、ＨＡＮ（Hybrid Aligned Nematic）方式、π配列方式、スメクチック液晶を用いた界面安定型強誘電性液晶（ＳＳＦＬＣ：Surface-Stabilized Ferroelectric Liquid Crystal）方式、反強誘電性液晶（ＡＦＬＣ：Anti-Ferroelectric Liquid Crystal）方式等も提案されている。
【０００４】
また、液晶表示装置は利用する光源により透過型と反射型とに分類される。透過型の液晶表示装置とは、表示部の背面に配置されたバックライトと呼ばれる照明装置を備える。ユーザは透過型液晶表示装置の表示部を透過した光を視認する。反射型の液晶表示装置とは、液晶層の背面に配置された反射層を備え、入射外光の反射光を光源とする。ユーザは、反射型液晶表示装置の表示部に入射し反射層で反射された光を視認する。
【０００５】
近年では、携帯電話やＰＤＡ（personal digital assistant）などの携帯情報端末機器への関心が高まり、透過型に比べて消費電力が小さく、軽薄で携帯性に勝った反射型表示装置の要求が高まっている。
【先行技術文献】
【特許文献】
【０００６】
【特許文献１】特開２０１０−９６９７４号公報
【発明の概要】
【発明が解決しようとする課題】
【０００７】
反射型液晶表示装置の特性指標の一つは反射率である。特に、カラー表示タイプの反射型液晶表示装置では高い反射率を実現することが要求される。なぜなら、例えば３色（ＲＧＢ）のサブピクセルで１つの絵素を表示するカラーフィルタ方式を用いた場合、着色層において各波長の光が吸収されてしまい、原理的に表示に利用できる光が約１／３に減少するからである。
【０００８】
この問題を解決する方法の１つとして、３色のサブピクセルに着色層を設けない無色の画素（Ｗ画素）を加え、赤色（Ｒ）画素、緑色（Ｇ）画素、青色（Ｂ）画素、無着色（Ｗ）画素の４種類のサブピクセルで一絵素の表示を行うカラーフィルタ構成（ＲＧＢＷ−ＣＦ）が提案されている。この方式では、例えば４種類のサブピクセルの面積を等しくした場合、光の利用効率を原理的に約１／２に向上させることができ、より高い反射率を実現することが可能となる。
【０００９】
また、カラー表示タイプの反射型液晶表示装置は、色ずれ（混色）を改善することも望まれている。カラー表示タイプの反射型液晶表示装置ではカラーフィルタ層と反射層との間に距離が存在するため、必ずしも入射光と反射光とが同じ着色層を通過するとは限らず、所望の色からずれた色味となり色純度も低下する。
【００１０】
このような色ずれは反射層とカラーフィルタ層との間の距離が大きくなると大きくなる為、反射側基板の背面に反射層を設けた構成、或いは入射光側基板の外側にカラーフィルタ層を設けた構成で特に大きくなる。また、サブピクセル間に遮光エリアを設けることで色ずれを低減させることは可能であるが、その場合は開口率が下がる為、反射率が低下し暗い表示となる可能性があった。
【００１１】
本発明は上記事情を鑑みてなされたものであって、明るく良好な表示品位を有するカラー表示タイプの表示装置を提供することを可能とするものである。
【課題を解決するための手段】
【００１２】
実施形態によれば、
対向して配置された一対の基板と、マトリクス状に配置された複数のサブピクセルを含む表示部と、を備え、前記表示部は、複数の絵素を備え、前記複数の絵素はそれぞれ、無色画素と、赤色画素と、緑色画素と、青色画素とのサブピクセルを備え、第１方向に沿って前記赤色画素、前記緑色画素、前記青色画素の単一色がそれぞれ配置され、前記第１方向と略直交する第２方向に並ぶ前記絵素において、一の絵素が有する前記無色画素と、他の一の絵素が有する前記無色画素とは、前記赤色画素、前記緑色画素、前記青色画素の配列に対して互いに１８０°異なる位置に配置されている表示装置が提供される。
また、対向して配置された一対の基板と、マトリクス状に配置された複数のサブピクセルを含む表示部と、を備え、前記表示部は、複数の絵素を備え、前記複数の絵素はそれぞれ、無色画素と、赤色画素と、緑色画素と、青色画素とのサブピクセルを備え、前記絵素において、前記赤色画素、前記緑色画素、前記青色画素は、第１方向に沿って配置され、前記無色画素は、前記赤色画素、前記緑色画素、前記青色画素の内中央に位置するサブピクセルに接して、前記第１方向と略直交する第２方向に沿って配置されている表示装置が提供される。
【図面の簡単な説明】
【００１３】
【図１】実施形態の液晶表示装置の一構成例を概略的に示す図である。
【図２】実施形態の液晶表示装置の断面の一例を示す図である。
【図３】実施形態の液晶表示装置のカラーフィルタの一構成例を説明するための図である。
【図４】比較例の液晶表示装置のカラーフィルタの一構成例を説明するための図である。
【図５】比較例の液晶表示装置のカラーフィルタの一構成例を説明するための図である。
【発明を実施するための形態】
【００１４】
以下、実施形態に係る液晶表示装置ついて、図面を参照して説明する。  
図１に本実施形態に係る液晶表示装置の一構成例を概略的に示す。図２には本実施形態の液晶表示装置の断面の一例を示す。本実施形態の液晶表示装置は、アレイ基板１００と、アレイ基板１００と対向して配置された対向基板２００と、アレイ基板１００と対向基板２００との間に挟持された液晶層ＬＱと、マトリクス状に配置された複数のサブピクセルＳＰＸを含む表示部ＤＹＰと、を備えている。
【００１５】
本実施形態に係る液晶表示装置では、複数のサブピクセルＳＰＸは、赤色画素、緑色画素、青色画素、および、無色画素の４種類のサブピクセルを含む。４種類のサブピクセルにより１つの絵素ＰＸが形成される。
【００１６】
アレイ基板１００は、透明絶縁性基板であるガラス基板１と、各サブピクセルＳＰＸに配置された画素電極ＰＥと、画素電極ＰＥが配列する行方向（第２方向ＤＹ）に沿って延びる複数の走査線Ｙと、画素電極ＰＥが配列する列方向（第１方向ＤＸ）に沿って延びる複数の信号線Ｘと、走査線Ｙと信号線Ｘとの交差する位置近傍に配置された画素スイッチＳＷと、画素スイッチＳＷと画素電極ＰＥとの間に配置された絶縁層Ｌ１と、走査線駆動回路ＹＤと、信号線駆動回路ＸＤと、拡散反射層１０２と、を備えている。
【００１７】
画素電極ＰＥは、例えばＩＴＯ（Indium Tin Oxide）やＩＺＯ（Indium Zinc Oxide）等の透明導電性材料により形成されている。
【００１８】
画素スイッチＳＷは、スイッチング素子として薄膜トランジスタを備えている。薄膜トランジスタは、半導体層（図示せず）として、アモルファスシリコンあるいはポリシリコンを備えている。薄膜トランジスタのゲート電極は対応する走査線Ｙと電気的に接続されている（あるいは一体に形成されている）。薄膜トランジスタのソース電極は対応する信号線Ｘと電気的に接続されている（あるいは一体に形成されている）。薄膜トランジスタのドレイン電極は、絶縁層Ｌ１に設けられたコンタクトホール（図示せず）において対応する画素電極ＰＥと電気的に接続されている（あるいは一体に形成されている）。
【００１９】
走査線駆動回路ＹＤは、表示部ＤＹＰの周囲を囲む額縁領域１１０に配置されている。走査線駆動回路ＹＤは、複数の走査線Ｙへ順次駆動信号を印加して、走査線Ｙと電気的に接続された画素スイッチＳＷのゲート電極へ駆動信号を供給する。画素スイッチＳＷのゲート電極へ駆動信号が印加されると、画素スイッチＳＷのソース電極とドレイン電極との間が導通する。
【００２０】
信号線駆動回路ＸＤは、表示部ＤＹＰの周囲を囲む額縁領域１１０に配置されている。信号線駆動回路ＸＤは、複数の信号線Ｘへ対応する映像信号を印加する。信号線Ｘへ印加された映像信号は、ソース電極とドレイン電極とが導通した画素スイッチＳＷを介して対応する画素電極ＰＥへ供給される。
【００２１】
拡散反射層１０２は、ガラス基板１の外側（液晶層ＬＱと反対側）の主面上に配置されている。拡散反射層１０２は、例えば、ガラス基板１と対向する面に凹凸が形成され、ガラス基板１を透過した光を拡散するとともに、ガラス基板１に反射する。
【００２２】
なお、本実施形態では、色ずれ（混色）が生じやすい背面拡散反射層構成を採用している。背面拡散反射層構造は液晶モードの限定が少なく、且つ、比較的安価で容易にカラー表示タイプの液晶表示装置を構成することができる。
【００２３】
上記の他にも、反射板の構成としてはガラス基板１の液晶層ＬＱ側に拡散反射層を配置してもよい。また、拡散反射層ではなく鏡面反射板を採用してもよい。鏡面反射板を採用する場合には、鏡面反射板よりも光が入射する側に配置される少なくとも１つの拡散層を別途設ければよい。
【００２４】
額縁領域１１０は、対向基板２００の端部よりも、表示部ＤＹＰから離れる方向に延びている。額縁領域１１０には、外部信号源と接続される接続部（図示せず）が設けられている。接続部を介して外部信号源から供給される映像信号および制御信号は、信号線駆動回路ＸＤ、走査線駆動回路ＹＤ、および、共通電極駆動回路と接続部との間を電気的に接続する各種配線により信号線駆動回路ＸＤ、走査線駆動回路ＹＤおよび共通電極駆動回路へ供給される。
【００２５】
対向基板２００は、透明絶縁性基板であるガラス基板２と、複数の画素電極ＰＥと対向する共通電極ＣＥと、カラーフィルタ層ＣＦと、を備えている。
【００２６】
共通電極ＣＥは、例えばＩＴＯやＩＺＯ等の透明導電性材料により形成されている。共通電極ＣＥには、図示しない共通電極駆動回路から共通電圧が印加され、画素電極ＰＥと対向電極ＣＥとの電位差により、液晶層ＬＱの液晶分子ＬＱＡの配向状態が制御される。
【００２７】
カラーフィルタ層ＣＦは、赤色の主波長の光を透過する赤色カラーフィルタＣＦＲと、緑色の主波長の光を透過する緑色カラーフィルタＣＦＧと、青色の主波長の光を透過する青色カラーフィルタＣＦＢと、無着色部ＣＦＷと、を備えている。
【００２８】
赤色カラーフィルタＣＦＲは、赤色の顔料を含む樹脂材料により形成され、赤色画素に配置される。緑色カラーフィルタＣＦＧは、緑色の顔料を含む樹脂材料により形成され、緑色画素に配置される。青色カラーフィルタＣＦＢは、青色の顔料を含む樹脂材料により形成され、青色画素に配置される。無着色部ＣＦＷは無色画素に配置される。なお、無着色部ＣＦＷは、着色されていない樹脂材料により形成された無着色カラーフィルタであってもよく、カラーフィルタ層ＣＦの開口であってもよい。図２には無着色部ＣＦＷとして無着色カラーフィルタを示している。
【００２９】
本実施形態では１つの絵素ＰＸは凸形状である。走査線Ｙが延びる方向ＤＹにおいて隣り合う絵素ＰＸにおいて、方向ＤＹおよび方向ＤＸに対して対象となるように、４種類のサブピクセルＳＰＸが配置されている。
【００３０】
図３に、カラーフィルタ層ＣＦの一構成例を示す。カラーフィルタＣＦは凸形状に並んで配置された無着色部ＣＦＷと複数色のカラーフィルタＣＦＲ、ＣＦＧ、ＣＦＢとを１単位とし、無着色部ＣＦＷと複数色のカラーフィルタＣＦＲ、ＣＦＧ、ＣＦＢとの単位がさらにマトリクス状に配置されている。
【００３１】
カラーフィルタ層ＣＦは、第１方向ＤＸに沿って複数色のカラーフィルタＣＦＲ、ＣＦＧ、ＣＦＢの単一色が配置され、方向ＤＹに並ぶ無着色部ＣＦＷと複数色のカラーフィルタＣＦＲ、ＣＦＧ、ＣＦＢとの単位において、無着色部ＣＦＷと複数色のカラーフィルタＣＦＲ、ＣＦＧ、ＣＦＢとのそれぞれは互いに１８０°回転した位置に配置されている。
【００３２】
なお、図３では、各絵素ＰＸの外形を説明のために太線で囲んでいるが、各絵素ＰＸ内のカラーフィルタ間と絵素ＰＸ間との間隔は略等しく、説明のために記載したものであってカラーフィルタＣＦの構成を特定するものではない。図４および図５についても同様である。
【００３３】
赤色カラーフィルタＣＦＲと青色カラーフィルタＣＦＢとは、それぞれ信号線Ｘが延びる方向ＤＸに並ぶ画素電極ＰＥと対向するように、方向ＤＸに延びて配置されている。緑色カラーフィルタＣＦＧと無着色部ＣＦＷとは、信号線Ｘが延びる方向ＤＸに並ぶ画素電極ＰＥと対向するように交互に配置されている。緑色カラーフィルタＣＦＧと無着色部ＣＦＷとは、それぞれが画素電極ＰＥと対向している。
【００３４】
アレイ基板１００の画素電極ＰＥ上と、対向基板２００の共通電極ＣＥ上には互いに対向する一対の垂直配向膜（図示せず）が配置されている。
【００３５】
アレイ基板１００と対向基板２００とは、表示部ＤＹＰを囲むように配置されたシール剤ＳＬにより、所定の間隙をおいて固定されている。
【００３６】
液晶層ＬＱは、２色性の黒色色素ＬＱＢとカイラル材料が添加された液晶材料からなる。本実施形態では、ツイスト型ＧＨ（Guest-Host）液晶モードの液晶表示装置を採用している。ＧＨ液晶モードの液晶表示装置は、偏光板が不要であるため、拡散反射層１０２から反射される光の高い反射率を実現することが可能である。
【００３７】
上記の液晶表示装置を製造方法について説明する。  
まず、成膜とパターニングとを繰り返してガラス基板１上にスイッチング素子、信号線Ｘ、走査線Ｙ、絶縁層Ｌ１、画素電極ＰＥ、および、アレイ基板１００の各種配線を形成する。その後、ガラス基板１の背面（液晶層ＬＱからより離れた方の主面）に拡散反射層１０２を形成する。
【００３８】
対向基板２００のガラス基板２上には、赤色の顔料を分散させた紫外線硬化型アクリル樹脂レジストをスピンナーにて全面塗布し、赤色カラーフィルタＣＦＲ部分に光が照射されるようなフォトマスクを介して光照射および現像し、赤色カラーフィルタＣＦＲを形成する。
【００３９】
緑色の顔料を分散させた紫外線硬化型アクリル樹脂レジストをスピンナーにて全面塗布し、緑色カラーフィルタＣＦＧ部分に光が照射されるようなフォトマスクを介して光照射および現像し、緑色カラーフィルタＣＦＧを形成する。
【００４０】
青色の顔料を分散させた紫外線硬化型アクリル樹脂レジストをスピンナーにて全面塗布し、青色カラーフィルタＣＦＢ部分に光が照射されるようなフォトマスクを介して光照射および現像し、青色カラーフィルタＣＦＢを形成する。
【００４１】
また、顔料を含まない紫外線硬化型アクリル樹脂レジストをスピンナーにて全面塗布し、無着色カラーフィルタ部分に光が照射されるようなフォトマスクを介して光照射および現像し、無着色カラーフィルタを形成する。なお、無着色部ＣＦＷがカラーフィルタ層ＣＦの開口である場合には、この工程は省略される。
【００４２】
上記のように形成したカラーフィルタ層ＣＦ上に、電極材料を成膜して共通電極ＣＥを形成する。
【００４３】
その後、ガラス基板１およびガラス基板２の上層に垂直配向膜を塗布してアレイ基板１００と対向基板２００とを形成する。続いて、電気的な信頼性を有するシール剤ＳＬを用いて、上記のように形成したアレイ基板１００と対向基板２００とを、例えばスペーサを配置することにより一定の間隔を保持して貼り合せる。
【００４４】
続いて、シール剤ＳＬの一部を開口して形成された注入口から、アレイ基板１００と対向基板２００との間の空間へ、２色性の黒色色素１１とカイラル材料が添加された液晶材料を充填して液晶層ＬＱを形成した。その後、注入口を紫外線硬化樹脂で封止して液晶表示装置を作製した。
【００４５】
次に、第１比較例の液晶表示装置につて説明する。なお、以下の説明において上記実施形態の液晶表示装置と同様の構成については同一の符号を付して説明を省略する。
【００４６】
第１比較例の液晶表示装置では、１つの絵素ＰＸは、２行２列のマトリクス状に配置された４種類のサブピクセルを備えている。本比較例の液晶表示装置は、カラーフィルタ層ＣＦの構成が上記実施形態の液晶表示装置と異なっている。
【００４７】
図４に、第１比較例の液晶表示装置のカラーフィルタ層ＣＦの一構成例を示す。カラーフィルタＣＦは２行２列に配列する無着色部ＣＦＷと複数色のカラーフィルタＣＦＲ、ＣＦＧ、ＣＦＢとを１単位とし、無着色部ＣＦＷと複数色のカラーフィルタＣＦＲ、ＣＦＧ、ＣＦＢとの単位がさらにマトリクス状に配置されている。
【００４８】
本比較例に係る液晶表示装置では、赤色カラーフィルタＣＦＲと無着色部ＣＦＷとが、信号線Ｘが延びる方向ＤＸに並ぶ画素電極ＰＥと交互に対向するように配置され、緑色カラーフィルタＣＦＧと青色カラーフィルタＣＦＢとが、信号線Ｘが延びる方向ＤＸに並ぶ画素電極ＰＥと交互に対向するように配置されている。
【００４９】
また、赤色カラーフィルタＣＦＲと緑色カラーフィルタＣＦＧとが、走査線Ｙが延びる方向ＤＹに並ぶ画素電極ＰＥと交互に対向するように配置され、無着色部ＣＦＷと青色カラーフィルタＣＦＢとが、走査線Ｙが延びる方向ＤＹに並ぶ画素電極ＰＥと交互に対向するように配置されている。上記の構成以外は上述の実施形態の液晶表示装置と同様である。
【００５０】
上述の実施形態の液晶表示装置と、第１比較例の液晶表示装置との表示特性を評価したところ、第１比較例の液晶表示装置は実施形態の液晶表示装置と比べて、色純度が低く、くすんだ表示特性となった。
【００５１】
これは、実施形態の液晶表示装置では、方向ＤＸにおいて、異なる色のカラーフィルタが並んでいないため、色ずれが発生することが抑制されるためである。例えば携帯情報端末機器では走査線Ｙに垂直な方向ＤＸに視認角度を調節することが主であるため、方向ＤＸにおける色ずれの発生を回避することにより、効果的に表示品位の劣化を回避することが可能となる。
【００５２】
次に、第２比較例の液晶表示装置につて説明する。第２比較例の液晶表示装置では、１つの絵素ＰＸは、走査線Ｙが延びる方向に並んで配置された４種類のサブピクセルを備えている。本比較例の液晶表示装置は、カラーフィルタ層ＣＦの構成が上記実施形態の液晶表示装置と異なっている。
【００５３】
図５に、第２比較例の液晶表示装置のカラーフィルタ層ＣＦの一構成例を示す。本比較例に係る液晶表示装置では、赤色カラーフィルタＣＦＲ、緑色カラーフィルタＣＦＧ、青色カラーフィルタＣＦＢ、および、無着色部ＣＦＷは、それぞれ信号線Ｘが延びる方向ＤＸに並ぶ画素電極ＰＥの列と対向するように延びている。また、赤色カラーフィルタＣＦＲ、緑色カラーフィルタＣＦＧ、青色カラーフィルタＣＦＢ、および、無着色部ＣＦＷが、走査線Ｙが延びる方向ＤＸに並ぶ画素電極ＰＥと対向するようにストライプ状に並んで配置されている。上記の構成以外は上述の実施形態の液晶表示装置と同様である。
【００５４】
上述の実施形態の液晶表示装置と、第２比較例の液晶表示装置との表示特性を評価したところ、第２比較例の液晶表示装置では色純度は実施形態の液晶表示装置と同等であるが、反射率が低く暗い表示特性を示した。
【００５５】
これは、上述の実施形態の液晶表示装置では、第２比較例の液晶表示装置と比較して配線領域を少なくすることができるため、反射率が向上したことによるものである。
【００５６】
上記のように、本実施形態によれば、第１比較例の液晶表示装置に比べて色純度が向上し、且つ、第２比較例の液晶表示装置に比べて明るい表示特性を有する液晶表示装置を提供することが可能である。
【００５７】
すなわち、本実施形態によれば、明るく良好な表示品位を有するカラー表示タイプの反射型液晶表示装置を提供することができる。
【００５８】
なお、無色画素は、最も視感度が高く明るい緑色画素と隣接させるのが望ましい。これにより、カラータイプの反射型液晶表示装置においてより明るく鮮やかな表示を得ることが可能である。
【００５９】
また、上述の実施形態では、効果が大きい表示モードであるツイスト型ＧＨ液晶モードを採用したが、液晶モードはツイスト型ＧＨ液晶モードに限定されない。
【００６０】
また、上述の実施形態では、ガラス基板２の液晶層ＬＱ側の主面にカラーフィルタ層ＣＦを配置していたが、カラーフィルタ層ＣＦはガラス基板２の外側（液晶層ＬＱと反対側）の主面に配置されてもよい。その場合、カラーフィルタ層ＣＦと反射層１０２との距離がより大きくなるため、色ずれが発生しやすくなるが、本実施形態を適用することにより効果的に色純度を向上させることができる。したがって、この場合でも上述の実施形態の液晶表示装置と同様の効果を得ることができる。
【００６１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６２】
ＬＱ…液晶層、ＳＰＸ…サブピクセル、ＤＹＰ…表示部、ＰＥ…画素電極、Ｙ…走査線、Ｘ…信号線、ＳＷ…画素スイッチ、ＣＥ…共通電極、ＣＦ…カラーフィルタ層、ＣＦＲ…赤色カラーフィルタ、ＣＦＧ…緑色カラーフィルタ、ＣＦＢ…青色カラーフィルタ、ＣＦＷ…無着色部、ＤＸ…方向（第１方向）、ＤＹ…方向（第２方向）、ＳＬ…シール剤、１００…アレイ基板、１０２…拡散反射層。
【図１】
0005723673.tif 000002
【図２】
0005723673.tif 000003
【図３】
0005723673.tif 000004
【図４】
0005723673.tif 000005
【図５】
0005723673.tif 000006